【事件の表示】
　特許第３００８６０６号「データ写し込み装置付きカメラ」の請求項１ないし３に係る特許に対する特許異議の申立てについて、次のとおり決定する。
【結　論】
　訂正を認める。
　特許第３００８６０６号の請求項１ないし３に係る特許を維持する。
【理　由】
【1】手続の経緯
　特許第3008606号の請求項1〜3に係る発明は、平成3年9月28日に出願され、平成11年12月3日にその設定登録がなされ、その後、有限会社オフィスアテナより特許異議申立がなされ、取消理由通知に対して平成12年12月26日に訂正請求がなされたものである。
　
【2】訂正の適否についての判断
《2-1》訂正後の発明
　訂正後の請求項1〜3に係る発明は、訂正明細書の特許請求の範囲に記載された次のとおりのものである。
　「【請求項1】フィルム面にデータを写し込むための照明光を照射する発光素子と、この発光素子からの照明光を前記フィルム面に結像させる光学系とをカメラ本体側に配置したデータ写し込み装置を搭載し、アパーチャーが開口するカメラボディ背面上のフィルム面に前記アパーチャーを介して被写体光を露光し、撮影後にフィルムをスプール室内に巻取るカメラにおいて、前記スプール室内でのフィルム巻取り最大外径円と、前記アパーチャーよりも前記スプール室側の前記カメラボディ背面との間で、かつ、前記フィルム巻取り最大外径円に接し前記フィルム面と直交する面よりもスプール室側にほぼ3角形形状の空間を形成し、この空間内に、前記データ写し込み装置の少なくとも一部を配設することを特徴とするデータ写し込み装置付きカメラ。
【請求項2】請求項1のカメラにおいて、前記発光素子をカメラ上部に、前記光学系を前記空間内にそれぞれ配設し、前記3角形形状空間を形成する前記カメラボディ背面に前記光学系からの照明光の通路を開口し、前記発光素子からの照明光を前記光学系でフィルム面に直交する方向に折曲げ、前記通路を介して前記フィルム面上に結像させるようにしたことを特徴とするデータ写し込み装置付きカメラ。
【請求項3】請求項1のカメラにおいて、前記発光素子および前記光学系を前記空間内に配設し、前記3角形形状空間を形成する前記カメラボディ背面に前記光学系からの照明光の通路を開口し、前記発光素子からの照明光を前記光学系および前記通路を介して前記フィルム面上に結像させるようにしたことを特徴とするデータ写し込み装置付きカメラ。」
(以下、「本件発明1」〜「本件発明3」という。)
　
《2-2》訂正の要旨
　特許権者が求めている訂正の内容は、以下のとおりである。
a.特許請求の範囲の請求項1を、次のとおり訂正する。
　『【請求項1】フィルム面にデータを写し込むための照明光を照射する発光素子と、この発光素子からの照明光を前記フィルム面に結像させる光学系とをカメラ本体側に配置したデータ写し込み装置を搭載し、アパーチャーが開口するカメラボディ背面上のフィルム面に前記アパーチャーを介して被写体光を露光し、撮影後にフィルムをスプール室内に巻取るカメラにおいて、前記スプール室内でのフィルム巻取り最大外径円と、前記アパーチャーよりも前記スプール室側の前記カメラボディ背面との間で、かつ、前記フィルム巻取り最大外径円に接し前記フィルム面と直交する面よりもスプール室側にほぼ3角形形状の空間を形成し、この空間内に、前記データ写し込み装置の少なくとも一部を配設することを特徴とするデータ写し込み装置付きカメラ。』
　
b.明細書の【0005】を次のとおり訂正する。
　『【0005】【課題を解決するための手段】一実施例を示す図1,図2に対応付けて説明すると、本発明は、フィルム面にデータを写し込むための照明光を照射する発光素子21と、この発光素子21からの照明光をフィルム面に結像させる光学系23とをカメラ本体側に配置したデータ写し込み装置を搭載し、アパーチャーlcが開口するカメラボディ背面lb上のフィルム面にアパーチャーlcを介して被写体光を露光し、撮影後にフィルムFをスプール室3内に巻取るカメラに適用される。そして上述した目的は、スプール室3内でのフィルム巻取り最大外径円Cmaxと、アパーチャーlcよりもスプール室3側のカメラボディ背面lbとの間で、かつ、フィルム巻取り最大外径円Cmaxに接しフィルム面と直交する面よりもスブール室3側に、ほぼ3角形形状の空間Sを形成し、この空間S内に、データ写し込み装置の少なくとも一部23を配設することにより、達成される。』
　
c.明細書の【0015】を次のとおり訂正する。
　『【0015】【発明の効果】以上説明したように本発明によれば、スプール室内でのフィルム巻取り最大外径円と、アパーチャーよりもスプール室側のカメラボディ背面との間で、かつ、フィルム巻取り最大外径円に接しフィルム面と直交する面よりもスプール室側に、ほぼ3角形形状の空間を形成し、この空間内にデータ写し込み装置の少なくとも一部を配設するようにしたので、スプール室と暗箱部との間に特別にデータ写し込み装置設置空間を設ける必要がなく、カメラの幅方向の小型化が図れる。』
　
《2-3》訂正の目的の適否、新規事項の有無及び拡張・変更の存否
　上記訂正事項a.は、願書に添付した明細書及び図面に記載した事項の範囲内で特許請求の範囲の減縮を目的とするものであり、これらの訂正は実質上特許請求の範囲を拡張し、又は変更するものでもない。
　また、上記訂正事項b.〜c.は、願書に添付した明細書及び図面に記載した事項の範囲内で不明りょうな記載の釈明を目的とするものであり、これらの訂正は実質上特許請求の範囲を拡張し、又は変更するものでもない。
　
《2-4》むすび
　以上のとおりであるから、上記訂正は、特許法第120条の4第2項及び同条第3項で規定する訂正について、平成6年法律第116号附則第6条第1項の規定によりなお従前の例によるとされる改正前の特許法第126条第1項ただし書き及び同条第2項の規定に適合するので、当該訂正を認める。
　
【3】特許異議の申立てについての判断
《3-1》申立ての理由の概要
　特許異議申立人は、請求項1〜3に係る本件特許発明は、甲第1号証または甲第2号証に記載の先願発明と実質同一のものであり、特許法第29条の2の規定により特許を受けることができないから、特許法第113条第1項第2号の規定により取り消すべきものである旨主張している。
　
(1)甲第1号証:特開平3-233537号公報(特願平2-30021号)
(2)甲第2号証:特開平4-256939号公報(特願平3-18766号)
　
《3-2》本件発明
　本件発明1〜3は、「《2-1》訂正後の発明」で述べたとおりである。
　
《3-3》先願の明細書の記載
《3-3-1》特願平2-30021号(甲第1号証:特開平3-233537号公報)の記載
(1) 第4頁左上欄12行〜右上欄7行「次に、第8図においてデータ写し込みユニットBの構成を説明する。18はデータ写し込みユニットBの基本をなす写し込み装置本体、19は写し込み装置の回路等が実装された基板であり、例えば0.43mmピッチで並んだ7個の0.3mm角の方形LED素子列19aがアパーチャ面に直交する方向(光軸方向)に一列に配設される。そしてLED素子列19aの光がミラー20によって反射され、レンズ21によって1/4に縮小してフィルムに結像される様構成されている。…以上によって構成されたデータ写し込みユニットBは、レンズカバー23を本体1の写し込み用の穴laに合致させて、アパーチャ面に対してレンズ側から組込みビス締めされる。」
　上記記載と第8図を併せて見れば、写し込み装置の回路等の実装された基板である方形LED素子列19aからの光がミラー20で反射されレンズ21で縮小されてフィルムに結像されているから、方形LED素子列19aはフィルム面にデータを写し込むための照明光を照射する発光素子に相当する。また、方形LED素子列19aからの光を反射し縮小するミラー20、レンズ21などの光学系は、方形LED素子列19a(発光素子)からの照明光をフィルム面に結像させる光学系に相当する。そして、方形LED素子ダリ19a(発光素子)、ミラー20、レンズ21などの光学系を備えたデータ写し込みユニットBは、第2図から、カメラ本体1に隣接して設けられている。
(3) 第4頁左下欄4行〜15行「次に24はフオー力ルプレーンシャッタユニットであり、25はそのシャツター駆動部を示すもので、上部に若干のスペースを残した凹部がある。フォ-力ルプレーンシャッタユニット24と、データ写し込みユニットを組み込んだ状態は第2図に示す様にシャッター駆動部25の凹部にデ-夕写し込みユニットがおさまった形となる。これは、従来スプロケットを有するカメラのスペースに多く使われていたスペースであり、本実施例においてはその上部をデータ写し込みユニットBに、下部をパルス検出口ーラ10によって占めている。」
　第1図、第2図から、フオーカルプレーンシャッタユニット24がアパーチャ部には配置され、これを介して被写体光がカメラボディ背面上のフィルム面に露光している。また、第2頁右下欄20行〜第3頁左上欄5行に「5はフィルムを巻き取るためのスプールであり…両軸モータ2の正転によってフィルム巻き上げ駆動される。」とあり、スプール5にフィルムを巻き取っている。また、第4頁左下欄4行〜15行および第2図から、データ写し込みユニットBはシャッター駆動部25の凹部におさまって組み込まれ、シャッター駆動部25の凹部からなるこのスペースは、従来スプロケットの配置されていたスペースに該当する。そして、第2図から、スプール5にフィルムが巻き取られる空間と、フォーカルプレーンシャッタユニット24よりもスプール5側のカメラボディ背面との間のほぼ3角形状の空間に、データ写し込みユニットBが配設されている。
　ここで、「…上部をデータ写し込みユニットBに、下部をパルス検出口ーラ10によって占めている。」(第4頁左下欄4行〜15行)とあり、パルス検出ローラ10はデータ写し込み装置に必須の構成である。また、第2図から、パルス検出ローラ10がデータ写し込みユニットBよりもスプール5に近い位置に配置されていることがわかり、ほぼ3角形状の空間にデータ写し込み装置の少なくとも一部が配設されている。
(4) 甲第1号証は、フィルムの給送動作に運動して複数個の写し込み素子を点滅させ、例えば文字・数字・記号等をフィルム面に写し込むデータ写し込み装置を備えたカメラに関するものである。(第2頁左上欄3行〜7行)
(5) 第2図のように組み込まれたデータ写し込みユニットBは、第4頁左上欄12行〜右上欄7行記載のように構成され、第2図、第8図から、方形LED素子列19aはカメラ上部に、ミラー20、レンズ21などの光学系はほぼ3角形状の空間にそれぞれ配設されている。データ写し込みユニットBをアパーチャ面に対してレンズ側から組み込みビス締めするための本体1の写し込み用の穴1aは、第1図、第3図から,ほぼ3角形状の空間を形成するカメラボディ背面に開口し、データ写し込みユニットBはレンズカバーを本体1の写し込み用の穴laに合致してその背後に位置しているから、光学系の照明光の通路となる。そして、ミラー20、レンズ21などの光学系は、方形LED素子列19a(発光素子)からの照明光をフィルム面と直交する方向に折り曲げて、写し込み用の穴laを介してフィルム面上に結像させる。
(6) 方形LED素子列19a(発光素子)およびミラー20、レンズ21などの光学系は、ほぼ3角形状の空間に配設され、このほぼ3角形状の空間を形成するカメラボディ背面に写し込み用の穴laを開口して、方形LED素子列19a(発光素子)からの照明光は、ミラー20、レンズ21などの光学系と写し込み用の穴laを介してフィルム面上に結像されている。
(7) 甲第1号証の[作用]の欄(第2頁左下欄13行〜右下欄2行)「上記の如く構成したカメラは、一眼レフレックスカメラにおいて、従来フィルムのパーフオレーションに係合してフィルム送りを検出していたスプロケットに変え、小径で済む摩擦接触によるフィルム送りの検出方式とすることにより、空いたスペースにデータ写し込み装置を配置することができ、フィルムの乳剤面側から有効に種々の情報をフィルムに写し込むことができる。」、
　[発明の効果]の欄(第9頁右上欄4行〜17行)「以上説明したように、本発明によれば一眼レフレックスカメラにおいて従来のスプロケットの配置されたスペース,即ちカメラ本体のスプール室側のアパーチャ面側縁部の下方にフィルムの送りを検出する摩擦接触式のローラを配置し、…データ写し込みユニットを設ける事により、コンパクトかつ撮影後のフィルム給送動作に連動した写し込みが可能となる。」
　
《3-3-2》特願平3-18766号(甲第1号証:特開平4-256939号公報)の記載
(1) 【0011】「次に上記構成による本発明装置の作動について説明する。シャツタレリーズボタン16が押圧されると、公知の露出制御回路が動作しシャツタが作動しフィルム面への被写体の露光が行なわれる。この動作が終了すると、モータ18に通電されフィルムFの巻き上げが開始され、ローラ24及びパルス板25が回転し、フォトカプラ26が信号を発生する。この信号に同期して、不図示のLED駆動回路が動作し、LEDアレイ22が駆動され、ドットマトリクスによる年、月、日等のデータが公知の方法により走行中のフィルムF面上に写し込まれる。なお、この時LEDアレイ22により図1のように垂直下方に発光された光は前記ローラ24、ローラ受け27の中空部を通過しドットマイラ28の開口部を経てプリズムレンズ29に入射する。このように入射された光は、前記反射面29cにより折り曲げられて最終的にフィルムFの乳剤面側(図1の左側)に集光され、データの写し込みが行われる。」、(2)【0009】「次に前記データ写し込み装置Dの詳細構造について特に図1を用いて説明する。同図において、23はカメラ本体11に固着されたローラ押え地板で、21は・・・基板であり基板21は、ローラ押え地板23に取り付けられている、24はフィルムFに当接するPC...等の合成樹脂から成る中空円筒状のローラであり、ローラ受け27(後述)とローラ押え地板23との間に回転可能に取り付けられている。25は…パルス板で、…フィルムFの移動量を検出している。…29は…プリズムレンズである。…又、図3に示す30は円弧状の当接部を先端に備えた板ばねで、該板もまね30の先端はローラ24側に押圧付勢され、この板ばね30とローラ24の間にフィルムFをはさみ込むようにしている。」
　この記載と第1図〜第3図から、基板21、ローラ押え地板23などからなるデータ写し込み装置Dは、フィルム給送検知用ローラ24の内部で、スプール17と、カメラボディ背面と、アパーチャとの間に形成された、ほぼ3角形の空間内に配置されている。
　
《3-4》対比・判断
　本件発明1〜3は「アパーチャーよりも前記スプール室側の前記カメラボディ背面との間で、かつ、前記フィルム巻取り最大外径円に接し前記フィルム面と直交する面よりもスプール室側にほぼ3角形形状の空間を形成」する点を構成に含むものである。
　甲第1、2号証の先願発明とを比較すると、本件発明1〜3の構成である「アパーチャーよりも前記スプール室側の前記カメラボディ背面との間で、かつ、前記フィルム巻取り最大外径円に接し前記フィルム面と直交する面よりもスプール室側にほぼ3角形形状の空間を形成」する点は甲第1、2号証の先願発明の構成となっていない。
　そして、「アパーチャーよりも前記スプール室側の前記カメラボディ背面との間で、かつ、前記フィルム巻取り最大外径円に接し前記フィルム面と直交する面よりもスプール室側にほぼ3角形形状の空間を形成」する点は本件発明1〜3と甲第1、2号証の先願発明との実質的な相違である。
　
　よって、本件発明1〜3が先願の明細書及び図面に記載された発明と同一であるとは認められず、特許法第29条の2の規定により特許を受けることができないものとすることはできない。
　
《3-5》むすび
　以上のとおりであるから、特許異議申立の理由及び証拠方法によっては、本件の請求項1〜3に係る発明の特許を取り消すことはできない。
　また、他に本件の請求項1〜3に係る発明の特許を取り消すべき理由を発見しない。
　よって、特許法等の一部を改正する法律(平成6年法律第116号)附則第14条の規定に基づく、特許法等の一部を改正する法律の施行に伴う経過措置を定める政令(平成7年政令第205号)第4条第2項の規定により、結論のとおり決定する。
【異議決定日】
平成１３年４月１８日（２００１．４．１８）
【訂正の要旨】
訂正の要旨
　特許権者が求めている訂正の内容は、以下のとおりである。
ａ．特許請求の範囲の請求項１を、次のとおり訂正する。
　『【請求項１】フィルム面にデータを写し込むための照明光を照射する発光素子と、この発光素子からの照明光を前記フィルム面に結像させる光学系とをカメラ本体側に配置したデータ写し込み装置を搭載し、アパーチャーが開口するカメラボディ背面上のフィルム面に前記アパーチャーを介して被写体光を露光し、撮影後にフィルムをスプール室内に巻取るカメラにおいて、前記スプール室内でのフィルム巻取り最大外径円と、前記アパーチャーよりも前記スプール室側の前記カメラボディ背面との間で、かつ、前記フィルム巻取り最大外径円に接し前記フィルム面と直交する面よりもスプール室側にほぼ３角形形状の空間を形成し、この空間内に、前記データ写し込み装置の少なくとも一部を配設することを特徴とするデータ写し込み装置付きカメラ。』
ｂ．明細書の【０００５】を次のとおり訂正する。
　『【０００５】【課題を解決するための手段】一実施例を示す図１，図２に対応付けて説明すると、本発明は、フィルム面にデータを写し込むための照明光を照射する発光素子２１と、この発光素子２１からの照明光をフィルム面に結像させる光学系２３とをカメラ本体側に配置したデータ写し込み装置を搭載し、アパーチャー１ｃが開口するカメラボディ背面１ｂ上のフィルム面にアパーチャー１ｃを介して被写体光を露光し、撮影後にフィルムＦをスプール室３内に巻取るカメラに適用される。そして上述した目的は、スプール室３内でのフィルム巻取り最大外径円Ｃｍａｘと、アパーチャー１ｃよりもスプール室３側のカメラボディ背面１ｂとの間で、かつ、フィルム巻取り最大外径円Ｃｍａｘに接しフィルム面と直交する面よりもスブール室３側に、ほぼ３角形形状の空間Ｓを形成し、この空間Ｓ内に、データ写し込み装置の少なくとも一部２３を配設することにより、達成される。』
ｃ．明細書の【００１５】を次のとおり訂正する。
　『【００１５】【発明の効果】以上説明したように本発明によれば、スプール室内でのフィルム巻取り最大外径円と、アパーチャーよりもスプール室側のカメラボディ背面との間で、かつ、フィルム巻取り最大外径円に接しフィルム面と直交する面よりもスプール室側に、ほぼ３角形形状の空間を形成し、この空間内にデータ写し込み装置の少なくとも一部を配設するようにしたので、スプール室と暗箱部との間に特別にデータ写し込み装置設置空間を設ける必要がなく、カメラの幅方向の小型化が図れる。』
（５４）【発明の名称】
データ写し込み装置付きカメラ
（５７）【特許請求の範囲】
　【請求項１】　フィルム面にデータを写し込むための照明光を照射する発光素子と、この発光素子からの照明光を前記フィルム面に結像させる光学系とをカメラ本体側に配置したデータ写し込み装置を搭載し、アパーチャーが開口するカメラボディ背面上のフィルム面に前記アパーチャーを介して被写体光を露光し、撮影後にフィルムをスプール室内に巻取るカメラにおいて、
　前記スプール室内でのフィルム巻取り最大外径円と、前記アパーチャーよりも前記スプール室側の前記カメラボディ背面との間
で、かつ、前記フィルム巻取り最大外径円に接し前記フィルム面と直交する面よりもスプール室側に
　【請求項２】　請求項１のカメラにおいて、
　前記発光素子をカメラ上部に、前記光学系を前記空間内にそれぞれ配設し、
　前記３角形形状空間を形成する前記カメラボディ背面に前記光学系からの照明光の通路を開口し、
　前記発光素子からの照明光を前記光学系でフィルム面に直交する方向に折曲げ、前記通路を介して前記フィルム面上に結像させるようにしたことを特徴とするデータ写し込み装置付きカメラ。
　【請求項３】　請求項１のカメラにおいて、
　前記発光素子および前記光学系を前記空間内に配設し、
　前記３角形形状空間を形成する前記カメラボディ背面に前記光学系からの照明光の通路を開口し、
　前記発光素子からの照明光を前記光学系および前記通路を介して前記フィルム面上に結像させるようにしたことを特徴とするデータ写し込み装置付きカメラ。
【発明の詳細な説明】
　【０００１】
　【産業上の利用分野】
　本発明は、データ写し込み装置をカメラ本体側に設けたカメラに関する。
　【０００２】
　【従来の技術】
　この種のデータ写し込み装置を搭載したカメラはたとえば特開平２−３０４５３８号公報に開示されている。この公報に開示されているデータ写し込み装置は、発光素子とその駆動手段とが実装された基板をカメラのスプール室の外周部もしくはパトローネ室の外周部に設けるとともに、カメラ本体暗箱部とスプール室との間に撮影光軸方向に矩形空間を設け、発光素子からフィルム面までの照明光の光学系をこの矩形空間内に設けている。
　【０００３】
　【発明が解決しようとする課題】
　しかしながら、このような従来のカメラにあっては、上記データ写し込み装置の光学系が、カメラ本体暗箱部とスプール室との間に形成された上記矩形空間に配設されているため、カメラ横方向の寸法がその矩形空間の幅分だけ大きくなってしまう。つまり、データ写し込み装置設置のために特別な空間を確保している。
　【０００４】
　本発明の目的は、カメラ本体側にデータ写し込み装置を配設してもカメラの横方向寸法が大型化しないようにしたカメラを提供することにある。
　【０００５】
　【課題を解決するための手段】
　一実施例を示す図１，図２に対応付けて説明すると、本発明は、フィルム面にデータを写し込むための照明光を照射する発光素子２１と、この発光素子２１からの照明光をフィルム面に結像させる光学系２３とをカメラ本体側に配置したデータ写し込み装置を搭載し、アパーチャー１ｃが開口するカメラボディ背面１ｂ上のフィルム面にアパーチャー１ｃを介して被写体光を露光し、撮影後にフィルムＦをスプール室３内に巻取るカメラに適用される。
　そして上述した目的は、スプール室３内でのフィルム巻取り最大外径円Ｃｍａｘと、アパーチャー１ｃよりもスプール室３側のカメラボディ背面１ｂとの間
で、かつ、フィルム巻取り最大外径円Ｃｍａｘに接しフィルム面と直交する面よりもスプール室３側に
　【０００６】
　【作用】
　カメラにとって必須の空間Ｓにデータ写し込み装置の少なくとも一部、たとえば光学系２３が配設され、カメラ幅方向に特別の空間を設ける必要がない。
　【０００７】
　なお、本発明の構成を説明する上記課題を解決するための手段と作用の項では、本発明を分かり易くするために実施例の図を用いたが、これにより本発明が実施例に限定されるものではない。
　【０００８】
　【実施例】
　図１および図２により一実施例を説明する。
　１はカメラボディであり、その中央部には撮影レンズからの被写体光をフィルム面に導く暗箱部２が、カメラボディ１の一端側には暗箱部２と隔壁１ａを隔ててスプール室３がそれぞれ一体に形成されている。カメラボディ１の背面１ｂにはアパーチャー１ｃが開口され、このアパーチャー１ｃを介してフィルムＦが露光される。カメラボディ１の背面１ｂにはアパーチャー１ｃの上下に沿って内レール４ａ，４ｂが配設され、それら内レール４ａ，４ｂのさらに外側に外レール５ａ，５ｂが配設されている。内レール４ａ，４ｂはアパーチャー１ｃが開口されたカメラボディ背面１ｂよりも０．２ｍｍ程度突出され、外レール５ａ，５ｂは内レール４ａ，４ｂよりもさらに突出している。
　【０００９】
　６はカメラボディ１の背面側を覆う後側外カバー、７はカメラボディ１の前面側を覆う前側外カバー、８は後側外カバー６に弾性体を介して設けられカメラ前方に付勢されている圧板であり、この圧板８は外レール７ａ，７ｂとの間にフィルムＦを狭圧する。
　【００１０】
　スプール室３の中央部にはスプール１１が配置されるとともに、スプール室３の周囲には、カメラボディ１の隔壁１ａに取り付けられスプール１１に向けて付勢されるフィルム押圧用ローラ１２と、後側外カバー６に取り付けられスプール１１に向けて付勢されるフィルム押圧用ローラ１３とが設けられ、スプール１１はフィルムＦを爪１１ａに係止しつつ巻取る。このとき、フィルムＦはローラ１２，１３によりスプール１１に密に巻付けられる。
　【００１１】
　図１において、２点鎖線で示すフィルム巻取円Ｃｍａｘは、フィルムＦがスプール１１に最も多く巻付けられた時の外周円を示しており、このとき、ローラ１３は図１に２点鎖線１３ａで示すように外周方向に変形し、ローラ１２は図２に２点鎖線１２ａで示すように同様に外周方向に変形する。したがって、スプール室３と暗箱部２との隔壁１ａには、フィルム最大巻取時にローラ１２が収容される凹部３ａが設けられている。
　【００１２】
　図２において、２１はデータ写し込み装置を構成する発光素子であり、発光素子２１は撮影光軸方向に１列に延設される複数個の発光ダイオードで構成され、基板２２上に設けられている。基板２２はカメラボディ１の上面１ｄの上部に配設され、発光素子２１の駆動回路はその基板２２上に実装されている。
　上記凹部３ａの上方には、内レール４ａ，４ｂに挟まれたカメラボディ背面１ｂとフィルム巻取円Ｃｍａｘとに囲まれたほぼ３角形形状の空間Ｓ（図１）が形成され、ここにデータ写し込み装置の光学系、たとえばプリズム２３が設けられる。発光素子２１からカメラ下方に向う照明光は、カメラボディ１の上面１ｄにあけられた丸孔１ｅを通って空間Ｓ内に導かれ、プリズム２３によりカメラ背面側に９０度屈折される。プリズム２３でカメラ背面方向に屈折された照明光は、上記カメラボディ背面１ｂにあけられた丸孔１ｆを通ってフィルム面に結像される。図１において２４は発光素子２１からプリズム２３に向う照明光の光路を閉塞するカバーであるが、隔壁１ａと一体に形成してもよい。
　【００１３】
　このように構成したデータ写し込み装置付きカメラにあっては、凹部３ａの上方に位置するカメラボディ背面１ｂとフィルム巻取円Ｃｍａｘとに囲まれたほぼ３角形形状の空間Ｓが形成され、この空間Ｓの上方位置でカメラボディ１の上面１ｄの上方に発光素子２１が配置される。そして、空間Ｓ内に配置された光学系２３により、カメラ下方に進行する照明光がカメラ背面方向に屈折されるとともに、その照明光がフィルム面上に結像される。したがって、フィルム巻取りに同期して複数の発光ダイオードを点滅することにより、データがフィルムに写し込まれる。
　この結果、従来のように暗箱部とスプール室との間に撮影光軸方向に延在する特別の矩形空間を設ける場合に比べて、カメラ幅方向の寸法が短縮され、カメラの小型化に寄与する。
　【００１４】
　以上の実施例では、上記空間Ｓ内にデータ写し込み装置の光学系２３だけを配設したが、図３に示すように、カメラ上下方向に縦１列に並ぶ複数個の発光ダイオードからなる発光素子１２１を空間Ｓ内に配設し、その空間Ｓ内でカメラ背面側に光学系１２３を配設してもよい。この場合、光学系１２３はプリズムではなく結像レンズが用いられ、結像レンズ１２３を通過する照明光がフィルム面に導かれるような縦に長い矩形開口１ｇがカメラボディ背面１ｂにあけられる。また、発光素子１２１の駆動回路はカメラボデイ上面１ｄの上部に配置された基板１２２に設けられ、基板１２２と発光素子１２１とは電気的に接続される。
　【００１５】
　【発明の効果】
　以上説明したように本発明によれば、スプール室内でのフィルム巻取り最大外径円と、アパーチャーよりもスプール室側のカメラボディ背面との間
で、かつ、フィルム巻取り最大外径円に接しフィルム面と直交する面よりもスプール室側に
【図面の簡単な説明】
　【図１】
　本発明に係るカメラの一実施例におけるスプール室周辺の要部を示す横断面図
　【図２】
　スプール室をカメラ背面から見た要部斜視図
　【図３】
　本発明に係るカメラの他の実施例におけるスプール室をカメラ背面から見た要部斜視図
　【符号の説明】
　　１　カメラボディ
　１ａ　隔壁
　１ｂ　カメラボディ背面
　１ｃ　アパーチャー
　１ｄ　カメラボディ上面
　１ｅ，１ｆ　丸孔
　１ｇ　矩形開口
　２　暗箱部
　３　スプール室
　３ａ　凹部
　１１　スプール
　１２，１３　押圧ローラ
　２１，１２１　発光素子
　２２，１２２　基板
　２３，１２３　光学系
　Ｓ　３角形形状の空間
　Ｆ　フィルム